(57)【特許請求の範囲】
【請求項１】
逆方向接続チャネルメッセージの送信区間に先立つプリアンブル区間に送信されるプリアンブル信号を不連続的に発生するプリアンブル発生器と、
前記プリアンブル発生器からのプリアンブル信号を拡散変調して基地局に送信する送信器とからなることを特徴とするプリアンブル信号を送信するための移動局装置。
【請求項２】
前記プリアンブル発生器は、
逆方向パイロット信号を発生する発生器と、
前記発生器からの逆方向パイロット信号を所定の大きさに増幅する増幅器と、
前記増幅器で増幅された逆方向パイロット信号を不連続的に断続する断続制御器とからなることを特徴とする請求項１記載の移動局装置。
【請求項３】
前記プリアンブル発生器は前記プリアンブル区間中に前記プリアンブル信号の送信区間と非送信区間とから構成される周期を繰り返し、前記送信区間で前記プリアンブル信号を発生することを特徴とする請求項１記載の移動局装置。
【請求項４】
前記プリアンブル発生器は前記プリアンブル区間の終端に前記送信区間を構成して前記接続チャネルメッセージを送信する直前にプリアンブル信号を発生することを特徴とする請求項３記載の移動局装置。
【請求項５】
前記プリアンブル発生器は前記プリアンブル信号の送信電力を所定レベルだけ増加させて発生することを特徴とする請求項３記載の移動局装置。
【請求項６】
前記プリアンブル発生器は基地局から同期捕捉情報を受信すると、前記プリアンブル信号をさらに発生しないことを特徴とする請求項３記載の移動局装置。
【請求項７】
前記移動局は基地局から同期捕捉情報を受信すると、前記プリアンブル区間を縮め、前記接続チャネルのメッセージを即時に送信することを特徴とする請求項３記載の移動局装置。
【請求項８】
前記同期捕捉情報は符号化されないデータであることを特徴とする請求項６記載の移動局装置。
【請求項９】
前記プリアンブル発生器は、前記プリアンブル非送信区間で同期捕捉情報を受信しないと、次のプリアンブル送信区間で前記プリアンブル信号の送信電力を所定レベルだけ増加させて発生することを特徴とする請求項３記載の移動局装置。
【請求項１０】
前記プリアンブル発生器は前記プリアンブル信号を前記プリアンブル区間の所定区間で発生することを特徴とする請求項１記載の移動局装置。
【請求項１１】
前記プリアンブル発生器は前記プリアンブル信号を前記プリアンブル区間の所定の前区間及び後区間で発生することを特徴とする請求項１記載の移動局装置。
【請求項１２】
前記移動局は前記プリアンブル信号を前記プリアンブル区間のうち自分に割り当てられた専用送信区間で発生することを特徴とする請求項３記載の移動局装置。
【請求項１３】
逆方向接続チャネルメッセージの送信区間に先立つプリアンブル区間中に送信されるプリアンブル信号を不連続的に発生する過程と、
前記発生されたプリアンブル信号を拡散変調して基地局に送信する過程とからなることを特徴とする移動局でプリアンブル信号を送信するための送信方法。
【請求項１４】
前記プリアンブル信号の発生過程は、
逆方向パイロット信号を発生する過程と、
前記逆方向パイロット信号を所定の大きさに増幅する過程と、
前記増幅された逆方向パイロット信号を不連続的に断続する過程とからなることを特徴とする請求項１３記載の移動局送信方法。
【請求項１５】
前記プリアンブル区間に前記プリアンブル信号の送信区間と非送信区間とから構成される周期を繰り返し、前記送信区間で前記プリアンブル信号を発生することを特徴とする請求項１３記載の移動局送信方法。
【請求項１６】
前記プリアンブル区間の終端に前記送信区間を構成して前記接続チャネルメッセージを送信する直前に前記プリアンブル信号を発生することを特徴とする請求項１５記載の移動局送信方法。
【請求項１７】
前記プリアンブル信号は所定レベルだけ増加された送信電力で発生されることを特徴とする請求項１５記載の移動局送信方法。
【請求項１８】
基地局から同期捕捉情報を受信すると、前記プリアンブル信号をさらに発生しないことを特徴とする請求項１５記載の移動局送信方法。
【請求項１９】
基地局から同期捕捉情報を受信すると、前記プリアンブル区間を縮め、前記接続チャネルのメッセージを即時に送信することを特徴とする請求項１５記載の移動局送信方法。
【請求項２０】
前記同期捕捉情報は符号化されないデータであることを特徴とする請求項１８記載の移動局送信方法。
【請求項２１】
前記プリアンブル非送信区間で同期捕捉情報が受信されないと、次のプリアンブル送信区間で前記プリアンブル信号の送信電力を所定レベルだけ増加させて発生することを特徴とする請求項１５記載の移動局送信方法。
【請求項２２】
前記プリアンブル信号は前記プリアンブル区間の所定の区間で発生することを特徴とする請求項１３記載の移動局送信方法。
【請求項２３】
前記プリアンブル信号は前記プリアンブル区間の所定の前区間及び後区間で発生することを特徴とする請求項１３記載の移動局送信方法。
【請求項２４】
前記プリアンブル信号は前記プリアンブル区間のうち特定の移動局に割り当てられた専用の送信区間で発生することを特徴とする請求項１５記載の移動局装置。
【発明の詳細な説明】
【０００１】
【発明の属する技術分野】
本発明は、移動通信システムに係り、特に符号分割多重接続（Ｃｏｄｅ Ｄｉｖｉｓｉｏｎ Ｍｕｌｔｉｐｌｅ Ａｃｃｅｓｓ：以下、ＣＤＭＡと称する）方式の移動通信システムにおいて接続チャネルのプリアンブル伝送装置及び方法に関する。
【０００２】
【従来の技術】
前記接続チャネルは送信側から受信側にリンクの設定を要求しながら伝送されるすべてのチャネルのことをいい、メッセージの伝送に先立ってプリアンブルのような知られている信号を伝送するすべてのチャネルのことである。本発明で述べられる接続チャネルは既存の移動通信システムで定義する接続チャネルの意味に限られない。例えば、逆方向接続チャネル（Ｒ−ＡＣＨ：Ｒｅｖｅｒｓｅ Ａｃｃｅｓｓ Ｃｈａｎｎｅｌ）、逆方向共用制御チャネル（Ｒ−ＣＣＣＨ：Ｒｅｖｅｒｓｅ Ｃｏｍｍｏｎ Ｃｏｎｔｒｏｌ Ｃｈａｎｎｅｌ）及び逆方向専用接続チャネル（Ｒ−ＤＡＣＨ：Ｒｅｖｅｒｓｅ Ｄｅｄｉｃａｔｅｄ Ａｃｃｅｓｓ Ｃｈａｎｎｅｌ）などが前記接続チャネルの一例として挙げられる。
【０００３】
送信器から送られた信号を受信器で正確に受信するためには、前記受信器が前記送信器から送られた信号と同期を合わせなければならない。特に、前記同期捕捉は前記符号分割多重接続（ＣＤＭＡ）方式において通信ができるかどうかを決定する重要な要素である。
【０００４】
移動通信システムにおいて、基地局の送信信号に対する移動局での同期捕捉は移動局が電源を入れる時から一連の同期捕捉過程を通して行われる。前記移動局は電源を切るまで行われる同期追跡過程を通して持続的に同期を保持することにより常に通信が再開できる状態を保持する。前記同期捕捉過程で、基地局はパイロットチャネルのような基準信号を用いる。前記基準信号は基地局が制御するセル内の不特定移動局に送信される。前記基準信号は不特定の移動局を対象にして送信されるため、基地局はシステムが作動する間には引き続き前記基準信号を送信する。そして、前記基準信号は基地局と移動局間の約束により決められた信号なので、移動局は任意の瞬間に電源を入れても前記基準信号を探して同期を合わせることにより基地局から送信される信号を受信することができる。
【０００５】
その反面、移動局の送信信号に対する基地局での同期捕捉は、前記移動局での基地局信号に対する同期捕捉とは異なり、移動局の電源を入れた時から行われるものではない。何故ならば、移動局での電力消費及び移動局から基地局方向への干渉を最小化するために、できる限り不要な送信を抑制し、移動局が送信するメッセージ又はデータがある時のみにリンクを設定して送信し始める。前記リンクの設定過程は基地局が移動局から受信した信号に対する同期捕捉過程を含む。
【０００６】
前記同期捕捉過程を効率的に行うために、移動局はメッセージ又はデータを送信する前に図２に示したようにプリアンブル（ＰＡ：Ｐｒｅａｍｂｌｅ）を一定時間毎に基地局に送信する。前記プリアンブルは基地局と移動局間に予め約束された信号のことをいう。ほとんどの移動通信システムにおいて、前記プリアンブルの送信開始時点は移動局が電源を入れてから捕捉した基地局の送信信号から獲得したシステム視覚情報により決定された可能な送信時点のうちで移動局が任意で選択することもでき、システム内に固定されたパラメータにより決定することもできる。基地局の受信器はシステムの視覚情報に基づき推定される移動局のすべてのプリアンプル送信開始時点でプリアンブルを検出して同期を捕捉する。前記プリアンブルが検出されると、基地局は同期捕捉及び追跡過程を行って、プリアンブルの後に伝送されてくるメッセージを受信する。
【０００７】
図１は従来の技術による移動局の接続チャネル送信装置を示したものである。  前記図１を参照すると、プリアンブル発生器１２０は図２の参照符号２１０のようなプリアンブルを発生させる装置である。増幅器１２２はプリアンブル区間の逆方向パイロットチャネル（Ｒ−ＰＩＣＨ：Ｒｅｖｅｒｓｅ Ｐｉｌｏｔ Ｃｈａｎｎｅｌ）の送信電力を接続チャネルメッセージ（ｍｅｓｓａｇｅ ｃａｐｓｕｌｅ）が存在する区間の逆方向パイロットチャネルより高く送信するための装置である。選択器１２４はプリアンブル区間とメッセージ送信区間を選択する装置である。前記選択器１２４はプリアンブル区間の開始時点で増幅器１２２の出力を選択し、プリアンブル区間の終了時点で増幅されない信号を選択する。前記選択器１２４の動作は一つの接続チャネルに対して一回だけ行われる。前記増幅器１２２が前記プリアンブル区間とメッセージ送信区間で増幅利得を“Ｇｐ”から“１”に変換できる増幅器であれば、前記選択器１２４を別途に備える必要はない。即ち、前記増幅器１２２はプリアンブル区間の開始時点で増幅利得を“Ｇｐ”に設定し、プリアンブル区間の終了時点で増幅利得を“１”に設定する。前記増幅器１２２の利得は一つの接続チャネル区間で一回に限って設定される。混合器１１０は接続チャネルと前記逆方向チャネルとの区分のために、直交符号（＋１，−１，＋１，−１）を接続チャネルの伝送シンボルに乗じる装置である。前記接続チャネルはプリアンブル区間が終わる接続チャネルメッセージ区間の開始時点から基地局に伝送され、プリアンブル区間内では送信されない。増幅器１３０は接続チャネルメッセージ伝送区間で前記逆方向パイロットチャネルと前記接続チャネル間の送信電力比を決定する装置である。複素拡散器１４０は前記逆方向パイロットチャネルの信号と前記接続チャネルの信号及びＰＮｉ（Ｐｓｅｕｄｏ−ｒａｎｄｏｍ Ｎｏｉｓｅ ｉｎ−ｐｈａｓｅ）シーケンス及びＰＮｑ（Ｐｓｅｕｄｏ−ｒａｎｄｏｍ Ｎｏｉｓｅ Ｑｕａｄｒａｔｕｒｅ ｐｈａｓｅ）シーケンスを入力されて複素拡散された信号を生成し、前記生成された信号のうち実数部信号は濾波器１５０に入力され、虚数部信号は濾波器１５２に入力される。前記濾波器１５０，１５２は送信信号に対するパルス形成濾波器である。増幅器１６０，１６２は前記濾波器１５０，１５２の出力をアンテナを通して送信可能な大きさに増幅する装置である。混合器１７０，１７２は前記増幅器１６０，１６２の出力信号と搬送波を乗じて高周波帯域（ＲＦ）に遷移させるための装置である。π／２位相変換器１８０はＩ（Ｉｎ−ｐｈａｓｅ）チャネルに乗じられる搬送波とＱ（Ｑｕａｄｒａｔｕｒｅ ｐｈａｓｅ）チャネルに乗じられる搬送波間の位相差を９０°に保持させる装置である。合算器（ｃｏｍｂｉｎｅｒ）１９０は前記混合器１７０と１７２の出力を合算してアンテナに出力する装置である。
【０００８】
図２は従来の技術による接続チャネルに対する移動局の送信信号構成図の一例を示したものである。
【０００９】
前記図２を参照すると、移動局はプリアンブル２１０を接続チャネルメッセージの送信前に一定期間（図２では、Ｎ＊１．２５ｍｓ）だけ基地局に送信した後、参照符号２８０のように下げられた送信電力で逆方向パイロットチャネルを送信する。前記プリアンブルと逆パイロットチャネルは同一なシーケンス発生器或いは別途の発生器を用いて生成される。前記逆方向パイロットチャネルは逆方向リンクのチャネル推定及び同期追跡等に活用され、順方向パイロット情報を含むこともできる。プリアンブル２１０を逆方向パイロットチャネルより大きい電力で送信する理由は、基地局でのプリアンブル検出及び同期捕捉を容易にするためである。即ち、検出確率（Ｄｅｔｅｃｔｉｏｎ Ｐｒｏｂａｂｉｌｉｔｙ）を増加させ、失敗確率（Ｍｉｓｓ Ｐｒｏｂａｂｉｌｉｔｙ）及び誤警報確率（Ｆａｌｓｅ Ａｌａｒｍ Ｐｒｏｂａｂｉｌｉｔｙ）を減少させるためである。接続チャネルメッセージカプセル（Ｍｅｓｓａｇｅ Ｃａｐｓｕｌｅ）２８０は移動局から基地局に伝送する逆方向チャネルメッセージ及びデータを有している部分である。
【００１０】
【発明が解決しようとする課題】
前記従来の方式による接続チャネル伝送方式の問題点は、プリアンブルの送信区間が相対的に長く、伝送するメッセージが無くてもプリアンブル区間の送信電力が相対的に大きいため、逆方向リンクの他のチャネルに対する干渉量を増加させることである。従って、同一なプリアンブル検出を保障しながらも逆方向リンクのチャネル干渉量を最小化できる方法が要求される。
【００１１】
【課題を解決するための手段】
従って、本発明の目的は、ＣＤＭＡ通信システムにおいて、移動局が接続チャネルのプリアンブルを基地局に断続的に送信して逆方向リンクのチャネル干渉及び消耗電力を減少させる接続チャネルのプリアンブル送信装置及び方法を提供することにある。
【００１２】
本発明の他の目的は、ＣＤＭＡ通信システムにおいて、接続チャネルのプリアンブルを断続的に送信する時、基地局からのプリアンブル検出情報の受信如何によってプリアンブル及び接続チャネルメッセージ送信を決定する接続チャネルのプリアンブル通信装置及び方法を提供することにある。
【００１３】
前記の目的を達成するために、本発明によるＣＤＭＡ通信システムの移動局装置は、逆方向接続チャネルメッセージの送信区間に先立つプリアンブル区間に送信されるプリアンブル信号を不連続的に発生するプリアンブル発生器と、前記プリアンブル発生器からのプリアンブル信号を拡散変調して送信する送信器とからなることを特徴とする。
【００１４】
【発明の実施の形態】
本発明はＣＤＭＡ方式の移動通信システムに関するものである。本発明の実施例は本発明の主な内容を具体化するために必要なものであり、本発明の内容を制限することはない。
【００１５】
以下、本発明の実施例を説明するにおいて、前述した構成要素と同一な動作を行う他図面の構成要素には前述した図面と同一な図面参照番号を付ける。従来の方法と異なる過程に対しては新たな参照番号を付け、その異なる点を主にして説明する。
【００１６】
図３は本発明の実施例による移動局の接続チャネル送信装置を示したものである。
前記図３を参照すると、プリアンブル発生装置３２０内のプリアンブル送信制御器３２６及び断続器３２８はプリアンブルの送信を断続する装置である。前記断続のためのパラメータはシステムパラメータとして与えられ、移動局は前記与えられたパラメータに応じてプリアンブルを断続する。前記システムパラメータには断続される位置又は断続時間及び断続周期などが含まれる。プリアンブル区間で選択器１２４は増幅器１２２の出力を選択し、プリアンブル伝送制御器３２６は前記断続のためのパラメータに応じて断続器３２８を“オン（ＯＮ）”又は“オフ（ＯＦＦ）”させる。前記断続器３２８が“オン”の時にプリアンブルは送信され、“オフ”の時にはプリアンブルが送信されない。前記プリアンブルは断続しなかった従来の方式に比べて増加した送信電力で送信することができる。送信電力の増加量は開ループ電力制御により計算される初期の送信電力に加えられるシステムパラメータであり得る。プリアンブル区間が終了し、接続チャネルメッセージカプセル区間が始まる時点で、選択器１２４は逆方向パイロットチャネルを選択するために増幅器１２２の下方の出力を選択し、プリアンブル伝送制御器３２６は断続器３２８を接続チャネルが終了するまで“オン”状態に保持して逆方向パイロットチャネルの連続的な伝送を可能にする。
【００１７】
プリアンブル送信制御器３２６はプリアンブル区間でプリアンブルを送信した後、基地局から送られたプリアンブル検出情報に応じて断続器３２８の断続を調整して不要なプリアンブルの送信を中止することができる。基地局は前記プリアンブル検出情報の遅延を最小化するために、チャネル符号化せず伝送したり或いはブロック符号化のようにほとんど遅延されないチャネル符号化を用いて移動局に伝送する。基地局から伝送する前記プリアンブル検出情報が受信されると、移動局のプリアンブル送信制御器３２６は断続器３２８を制御して残りの区間で予定されていたプリアンブルの送信を中止する。前記プリアンブル検出情報が受信されないと、プリアンブル送信制御器３２６は残りの区間で予定されていたプリアンブルの送信を続けながら前記プリアンブル検出情報が受信されるか検査する。前記過程はプリアンブル区間が終わるまで続けられる。
【００１８】
混合器１１０は接続チャネルと前記逆方向リンクチャネルとのチャネル区分のために直交符号（＋１，−１，＋１，−１）を接続チャネルの伝送シンボルに乗じる装置である。前記接続チャネルはプリアンブル区間が終わる接続チャネルメッセージカプセル区間の開始時点から伝送され、プリアンブル区間内では送信されない。増幅器１３０は接続チャネルメッセージカプセル区間で前記逆方向パイロットチャネルと前記接続チャネル間の送信電力比を決定する装置である。複素拡散器１４０は前記逆方向パイロットチャネルの信号と前記接続チャネルの信号及びＰＮｉシーケンス及びＰＮｑシーケンスを入力されて複素拡散された信号を生成する。前記生成された信号のうち実数部信号は濾波器１５０に入力され、虚数部信号は濾波器１５２に入力される。前記濾波器１５０，１５２は送信信号に対するパルス成形濾波器である。増幅器１６０，１６２は前記濾波器１５０，１５２の出力をアンテナを通して送信可能な大きさに増幅する装置である。混合器１７０，１７２は前記増幅器１６０，１６２の出力信号と搬送波を乗じて高周波（ＲＦ）帯域信号に遷移させるための装置である。π／２位相変換器１８０はＩ（Ｉｎ−ｐｈａｓｅ）チャネルに乗じられる搬送波とＱ（Ｑｕａｄｒａｔｕｒｅ ｐｈａｓｅ）チャネルに乗じられる搬送波間の位相差を９０°に保持する装置である。合算器１９０は前記混合器１７０と１７２の出力を合算してアンテナに出力する装置である。
【００１９】
本発明の実施例による接続チャネルの送信信号構成図の例が図４乃至図１２に示されている。
前記図４はプリアンブル信号をプリアンブル区間のうち前方区間で送信する方式を示している。前記図４を参照すると、総プリアンブル区間（Ｔ４１＋Ｔ４２）のうちで、Ｔ４１の間にはプリアンブルを送信し、Ｔ４２の間にはプリアンブル送信を中止する。前記プリアンブルは既存のプリアンブル送信電力４１０に比べてΔＰだけ増加された送信電力４１２で送信される。ΔＰだけの送信電力の増加を考慮してもＴ４１とＴ４２の比を調整することにより、プリアンブル区間が既存の方式と同一だとすれば、相対的に少ないエネルギーがプリアンブル区間に割り当てられるため、逆方向リンクが他チャネルに及ぼす干渉量を相対的に減らせる。基地局では推定される移動局の送信区間を中心として前記プリアンブル送信区間Ｔ４１を含む区間でプリアンブルを検出する。前記プリアンブルの検出は既存の相関器及び整合濾波器等を用いて行われる。相関器を用いる場合、実時間でプリアンブルを検出することもでき、推定されるプリアンブル送信区間Ｔ４１の周囲で受信される信号を記憶場所に貯蔵してからプリアンブルを検出することもできる。
【００２０】
前記図５はプリアンブル信号をプリアンブル区間のうち前方区間及び後方区間で送信する方式を示している。前記図５を参照すると、総プリアンブル区間（Ｔ５１＊２＋Ｔ５２）のうちで、Ｔ５１の間にはプリアンブルを送信し、Ｔ５２の間にはプリアンブルの送信を中止し、接続チャネルメッセージカプセル区間が始まる直前のＴ５１の間に再びプリアンブルを送信する。前記プリアンブルは既存のプリアンブル送信電力５１０（５２０）に比べてΔＰだけ増加された送信電力５１２（５２２）で送信される。前記ΔＰだけの送信電力の増加を考慮してもＴ５１とＴ５２の比を調整することにより、プリアンブル区間が既存の方式と同一だとすれば、相対的に少ないエネルギーがプリアンブル区間に割り当てられるため、逆方向リンクが他チャネルに及ぼす干渉量を相対的に減らせる。基地局では推定される移動局の送信区間を中心として前記プリアンブル送信区間Ｔ５１を含む区間でプリアンブルを検出する。前記プリアンブルの検出及び同期捕捉は図４で前述した方式と同一な方式により行われる。
【００２１】
図６はプリアンブル信号を周期的に断続して送信する方式を示したものである。前記図６を参照すると、総プリアンブル区間のうちで、Ｔ６１の間にプリアンブルを送信し、Ｔ６２の間にはプリアンブルの送信を中止する過程をプリアンブル区間が終了するまで周期的に繰り返す。接続チャネルメッセージが始まる直前のＴ６１の間にプリアンブルを再び送信することができる。前記プリアンブル区間は（Ｔ６１＋Ｔ６２）＊Ｎ＋Ｔ６１或いは（Ｔ６１＋Ｔ６２）＊Ｎである。（但し、Ｎは整数であり、Ｎ≧０である）前記プリアンブルは既存のプリアンブル送信電力６１０（６２０，６３０，６４０）に比べてΔＰだけ増加された送信電力６１２（６２２，６３２，６４２）で送信される。前記ΔＰだけの送信電力の増加を考慮してもＴ６１とＴ６２の比を調整することにより、プリアンブル区間が既存の方式と同一だとすれば、相対的に少ないエネルギーがプリアンブル区間に割り当てられるため、逆方向リンクが他チャネルに及ぼす干渉量を相対的に減らせる。基地局では推定される移動局の送信区間を中心として前記プリアンブル送信区間Ｔ６１を含む区間でプリアンブルを検出する。前記プリアンブルの検出及び同期捕捉は図４で前述した方式と同一な方式により行われる。
【００２２】
前述したすべての接続チャネルのプリアンブル送信方式の拡張概念としてフィードバック（Ｆｅｅｄｂａｃｋ）概念を導入した次のような二つの方式がある。
【００２３】
第一、プリアンブル区間が固定されたシステムで、基地局は前記プリアンブルの検出及び同期捕捉を行った後、移動局にプリアンブルが既に検出されて同期が捕捉されたことを知らせることにより、残りのプリアンブル区間で不要にプリアンブルを送信することを防止する。前記移動局に同期捕捉情報が受信されないと、前記移動局は残りのプリアンブル区間内のプリアンブル送信区間中にシステムパラメータにより与えられただけ増加した送信電力でプリアンブルを送信する。プリアンブル区間が終了するまで、前記同期捕捉情報が受信されないと、移動局は基地局での同期捕捉が行われなかったと判断して接続チャネルメッセージを送信しない。
【００２４】
第二、プリアンブル区間が可変的なシステムで、基地局が前記プリアンブルの検出及び同期捕捉を行った後、移動局に同期捕捉情報を送信すると、移動局はプリアンブル区間を縮めて接続チャネルメッセージを基地局に送信する。前記プリアンブル区間が可変的なシステムで、最大プリアンブル区間はシステムパラメータにより規定される。システムパラメータにより与えられるプリアンブル区間中に前記同期捕捉情報が受信されないと、移動局は残りのプリアンブル区間内のプリアンブル送信区間中にシステムパラメータにより与えられただけ増加したプリアンブル送信電力でプリアンブルを送信する。前記プリアンブル区間が終了するまで、前記同期捕捉情報が受信されないと、前記移動局は基地局での同期捕捉が行われなかったと判断して接続チャネルメッセージを送信しない。
【００２５】
以下、プリアンブル送信を周期的に断続し、前記フィードバック概念を導入した場合を説明する。
前記図６乃至図８はプリアンブル送信を周期的に断続する方式を示したものである。前記図６はプリアンブル伝送にフィードバック（Ｆｅｅｄｂａｃｋ）概念を導入しなかった場合である。図７は固定長さのプリアンブル区間でプリアンブル伝送にフィードバック概念を導入した場合であり、図８は可変長さのプリアンブル区間でプリアンブル伝送にフィードバック概念を導入した場合である。前記図６，図７，図８のプリアンブル区間内のプリアンブル送信区間及び非送信区間はすべての移動局に対して共通のものであり、システムパラメータにより決定される。
【００２６】
前記図７を参照すると、プリアンブル区間のうち、Ｔ７１の間にプリアンブルを送信し、Ｔ７２の間にプリアンブルの送信を中止する過程を繰り返す。前記プリアンブルを周期的に送信しながら、移動局は基地局から同期捕捉情報が受信されるか検査する。ここで、前記基地局はプリアンブル送信区間Ｔ７１を含む区間でプリアンブルを検出し、前記プリアンブルが検出されると、前記同期捕捉情報を移動局に送信する。図示したように、移動局は送信区間Ｔ７１の間にプリアンブルを送信した後、非送信区間Ｔ７２内で前記同期捕捉情報が受信されないと、次のＴ７１の間にプリアンブルを送信する。しかし、次の非送信区間Ｔ７２内で前記基地局から前記同期捕捉情報を受信すると、前記移動局は残りのプリアンブル区間でのプリアンブルの送信を中止する。ここで、移動局は前記各プリアンブル送信区間で既存のプリアンブル送信電力７１０（７２０）よりΔＰだけ増加させた送信電力でプリアンブルを基地局に送信する。
【００２７】
前記図８を参照すると、プリアンブル区間でＴ８１の間にプリアンブルを送信し、Ｔ８２の間にプリアンブルの送信を中止する過程を繰り返す。ここで、各プリアンブル送信区間中に送信されるプリアンブルの送信電力は直前に送信されたプリアンブルの送信電力に比べてΔＸだけ増加されたものである。前記プリアンブルを周期的に送信しながら、移動局は前記基地局から同期捕捉情報が受信されるか検査する。それから、前記基地局は推定されるプリアンブル送信区間Ｔ８１を含む区間でプリアンブルを検出し、前記プリアンブルが検出されると、前記同期捕捉情報を移動局に送信する。図示したように、移動局は送信区間Ｔ８１の間にプリアンブルを送信した後、非送信区間Ｔ８２内で前記同期捕捉情報が受信されないと、次の送信区間Ｔ８１でプリアンブル信号を基地局に送信する。前記非送信区間Ｔ８２内で前記基地局から前記同期捕捉情報を受信すると、前記移動局は残りのプリアンブル区間でのプリアンブルの送信を中止し、次の送信区間で接続チャネルメッセージを送信する。図８Ａは移動局が四つのプリアンブルを送信した後、前記同期捕捉情報を受信し、次の送信区間で接続チャネルメッセージ（Ａ−ＡＣＨ，Ｒ−ＣＣＣＨ，Ｒ−ＤＡＣＨ）を送信する例を示したものであり、図８Ｂは二つのプリアンブルを送信した後、前記同期捕捉情報を受信し、次の送信区間で接続チャネルメッセージ（Ａ−ＡＣＨ，Ｒ−ＣＣＣＨ，Ｒ−ＤＡＣＨ）を送信する例を示したものである。
【００２８】
以下、プリアンブル区間のうち特定の移動局に割り当てられた専用の送信区間でプリアンブル信号を送信する場合を説明する。
前記図９はプリアンブル伝送にフィードバック概念を導入しなかった場合である。図１０は固定長さのプリアンブル区間でプリアンブル伝送にフィードバック概念を導入したものである。図１１は可変長さのプリアンブル区間でプリアンブル伝送にフィードバック概念を導入したものである。前記のようにプリアンブル送信区間を専用化すると、多数の移動局が同時に接続してくる時に発生され得る逆方向リンクのチャネル干渉が特定区間で集中される現象を減らせる。
【００２９】
前記図９を参照すると、プリアンブル区間中でＰ１，Ｐ３，Ｐ７，Ｐ１０，Ｐ１４，Ｐ１６区間を移動局Ａに割り当てた場合である。もし、前記移動局Ａが前記Ｐ１，Ｐ３，Ｐ７，Ｐ１０，Ｐ１４，Ｐ１６区間でプリアンブルを送信し、移動局ＢがＰ２，Ｐ５，Ｐ７，Ｐ９，Ｐ１２，Ｐ１５区間でプリアンブルを送信すると、Ｐ７区間で前記両移動局のプリアンブルの送信により干渉が増加するが、他の区間では集中されないために、他チャネルに対する干渉の影響を減らせる。即ち、プリアンブル送信電力の最大値対平均値の比（Ｐｅａｋ−ｔｏ−Ａｖｅｒａｇｅ−Ｒａｔｉｏ）を緩和できる。
【００３０】
図１０を参照すると、移動局Ａが自分に割り当てられた専用区間Ｐ１，Ｐ３，Ｐ７，Ｐ１０，Ｐ１４，Ｐ１６でプリアンブル信号を送信するが、この際、移動局Ａは基地居から同期捕捉情報が受信されるか検査する。図示したように、前記移動局Ａは前記Ｐ１区間でプリアンブル信号を送信し、Ｐ２区間で前記同期捕捉情報が受信されるか検査する。この際、前記同期捕捉情報が受信されないと、前記移動局Ａは前記Ｐ３区間でプリアンブル信号を送信し、次の非送信区間Ｐ４，Ｐ５，Ｐ６で前記同期捕捉情報が受信されるか検査する。ここで、前記移動局Ａが前記同期捕捉情報を受信したと判断されると、前記移動局Ａはプリアンブル信号の送信を中止し、前記プリアンブル送信区間が終わる時点で接続チャネルメッセージを送信する。
【００３１】
一方、前記図１１を参照すると、移動局は前記図１０に示したように割り当てられた専用プリアンブル送信区間でプリアンブル信号を送信するが、前記同期捕捉情報が受信されると、プリアンブルの送信を中止すると同時に次のプリアンブル送信区間で前記接続チャネルメッセージを送信する。そして、前記プリアンブル送信電力は移動局がプリアンブル信号を送信する度にΔＸずつ増加される。これは基地局での同期捕捉を容易にするためである。ここで、前記送信電力の増加分ΔＸはシステムパラメータとして与えられる。かつ、前記図１１と同一な効果を得るために、プリアンブル区間内の送信区間を固定し、プリアンブル区間の開始時点を任意に選択して送信することもできる。
【００３２】
前述の如く、本発明は、基地局への接続チャネルの送信時、プリアンブルを断続的に伝送することにより、プリアンブル検出及び同期捕捉に要求される移動局の送信電力を過渡に用いることを防止できる。従って、待機時間が増加した時に移動局の電力消費を減少させ、逆方向リンクでのチャネル干渉量を減少させることにより逆方向リンクの品質が劣化するのを防止する。かつ、本発明は、固定長さのプリアンブル区間を有するシステムにおいて、基地局が移動局にプリアンブル検出及び同期捕捉情報を伝送してプリアンブル区間内で移動局から基地局へのプリアンブル伝送を押さえることができる。従って、逆方向リンクでの干渉量及び移動局の送信電力が減少されて、移動局の待機時間が増加される。さらに、本発明は、可変長さのプリアンブル区間を有するシステムにおいて、基地局が移動局にプリアンブル検出及び同期捕捉情報を伝送してプリアンブル区間を可変的に縮めてメッセージの送信時点を早めることにより、移動局が基地局へのプリアンブル伝送を中止できる。従って、逆方向リンクでのチャネル干渉量及び移動局の送信電力が減少されて、移動局の待機時間が増加される。
【図面の簡単な説明】
【図１】従来の技術による移動局の接続チャネル送信装置のブロック構成図である。
【図２】従来の技術による接続チャネルの送信信号図である。
【図３】本発明の実施例による移動局の接続チャネル送信装置のブロック構成図である。
【図４】本発明の実施例による接続チャネルの送信信号図である。
【図５】本発明の他の実施例による接続チャネルの送信信号図である。
【図６】本発明のさらに他の実施例による接続チャネルの送信信号図である。
【図７】本発明のさらに他の実施例による接続チャネルの送信信号図である。
【図８】本発明のさらに他の実施例による接続チャネルの送信信号図である。
【図９】本発明のさらに他の実施例による接続チャネルの送信信号図である。
【図１０】本発明のさらに他の実施例による接続チャネルの送信信号図である。
【図１１】本発明のさらに他の実施例による接続チャネルの送信信号図である。
【符号の説明】
１１０  混合器
１２２  増幅器
１２４  選択器
１３０  増幅器
１４０  複素拡散器
１５０，１５２  濾波器
１６０，１６２  増幅器
１７０，１７２  混合器
１８０  π／２位相変換器
１９０  合算器
３２０  プリアンブル発生装置
３２６  プリアンブル送信制御器
３２８  断続器
【図１】
0003542558.tif 000002
【図２】
0003542558.tif 000003
【図３】
0003542558.tif 000004
【図４】
0003542558.tif 000005
【図５】
0003542558.tif 000006
【図６】
0003542558.tif 000007
【図７】
0003542558.tif 000008
【図８】
0003542558.tif 000009
【図９】
0003542558.tif 000010
【図１０】
0003542558.tif 000011
【図１１】
0003542558.tif 000012